(57)【要約】【課題】  幼児に密着している座部及び背部に汗が溜まるようなことがなことがなく、衛生的な幼児用シートを得ること。【解決手段】  主に幼児の臀部を乗せる座部と、この座部の後方に配置され、その座部に対してリクライニング機構を有している背部と、座部の前方に設けられたステップにより構成されており、椅子として使用可能な状態とベッドとして使用可能な状態とすることが出来るようにした幼児用シートに関する。そして、上記座部１０及び背部１１における幼児の背中からお尻の範囲を支持する部分が２重構造２６、２８に形成されるとともに、その二重構造部の幼児側座面及び背面に多数の空気穴２８、３０が形成され、上記２重構造部の前後に空気流通口２９，２８ａが形成されている。【選択図】  図６
2005279016.tif 000002
【特許請求の範囲】
【請求項１】
主に幼児の臀部を乗せる座部と、この座部の後方に配置され、その座部に対してリクライニング機構を有している背部と、座部の前方に設けられたステップにより構成されており、椅子として使用可能な状態とベッドとして使用可能な状態とすることが出来るようにした幼児用シートにおいて、上記座部及び背部における幼児の背中からお尻の範囲を支持する部分が２重構造に形成されるとともに、その二重構造部の幼児側座面及び背面に多数の空気穴が形成され、上記２重構造部の前後に空気流通口が形成されていることを特徴とする、幼児用シート。
【請求項２】
上記座部には、前後に空気流通口が設けられた凹部が形成されており、その凹部に前記空気穴が形成された幼児側座面板が着脱可能に装着されていることを特徴とする、請求項１記載の幼児用シート。
【請求項３】
上記幼児用シートは前脚及び後脚からなる支持脚に揺動可能に支持されており、上記揺動により上記２重構造部内への外気の流通が促進されることを特徴とする、請求項１または２記載の幼児用シート。
【発明の詳細な説明】
【技術分野】
【０００１】
本発明は、新生児、乳児或いは児童等の幼児のために使用されるシートに関する。
【背景技術】
【０００２】
従来、幼児用シートにリクライニング機構を設け、幼児を寝かせた状態にしたり、或いは腰掛けた状態にさせることができるようにするとともに、その幼児用シートを支持する脚部に車輪を設け室内を自由に移動可能とし、さらに食事をする際等に高さを調節できるようにした幼児用椅子が提案され実用に供されている。すなわち、上記幼児用椅子としては、前脚と後脚の中間部を互いに枢着することによりＸ字状に構成された左右一対のＸ字脚によってシートを支持するようにし、車輪が設けられたＸ字状の前脚と後脚とを互いに接近する方向或いは離間する方向に回動させることにより、シートの高さの調節を行うことができるようにするとともに、室内での移動時に方向転換が容易に行われるようにするために、特に前脚の先端部にキャスターを設けることが行われている。
【特許文献１】特開２００３−２４１８９号公報
【発明の開示】
【発明が解決しようとする課題】
【０００３】
ところが、特に夏場などにおいて上記幼児用椅子をベッドとして使用する場合には、幼児の体から出る汗によって幼児の背中やお尻がムレることがある。そこで、上記ムレを防止する手段として、はシートの座部及び背部に空気穴を設けて空気が裏面側に流通するようにしたものが提案されている。
【０００４】
しかしながら、幼児の体から出る汗は量が多く、シートの背部や座部の表面側に汗による水滴が溜まることがあり、上述のように単にシートの座部及び背部に空気穴を設けた程度では水滴の溜まりを完全に防止することは不可能である等の問題がある。
【０００５】
本発明は、このような点に鑑み、幼児に密着している座部及び背部に汗が溜まるようなことがなことがなく、衛生的な幼児用シートを得ることを目的とする。
【課題を解決するための手段】
【０００６】
請求項１に係る発明は、主に幼児の臀部を乗せる座部と、この座部の後方に配置され、その座部に対してリクライニング機構を有している背部と、座部の前方に設けられたステップにより構成されており、椅子として使用可能な状態とベッドとして使用可能な状態とすることが出来るようにした幼児用シートにおいて、上記座部及び背部における幼児の背中からお尻の範囲を支持する部分が２重構造に形成されるとともに、その二重構造部の幼児側座面及び背面に多数の空気穴が形成され、上記２重構造部の前後に空気流通口が形成されていることを特徴とする。
【０００７】
請求項２に係る発明は、請求項１に係る発明において、上記座部には、前後に空気流通口が設けられた凹部が形成されており、その凹部に前記空気穴が形成された幼児側座面板が着脱可能に装着されていることを特徴とする。
【０００８】
請求項３に係る発明は、請求項１または２に係る発明において、上記幼児用シートは前脚及び後脚からなる支持脚に揺動可能に支持されており、上記揺動により上記２重構造部内への外気の流通が促進されることを特徴とする。
【発明の効果】
【０００９】
本発明は、上述のようにシートの座部及び背部における幼児の背中からお尻の範囲を支持する部分が２重構造に形成されるとともに、その二重構造部の幼児側座面及び背面に多数の空気穴が形成され、上記２重構造部の前後に空気流通口が形成されているので、幼児に密着している座部及び背部に溜まった汗を発散させることができ、快適で衛生的とすることができる。
【発明を実施するための最良の形態】
【００１０】
以下、添付図面を参照して本発明の実施の形態を説明する。
【００１１】
図１は幼児用椅子の概略構成を示す斜視図、図２はその側面図であって、幼児用シート１は左右一対のＸ字状に形成されたＸ字脚２によって支持されている。上記Ｘ字脚２は、前脚３及び後脚４の中間部をピン５によって互いに枢着することにより構成されており、左右の前脚３は前部連結杆６ａにより連結され、左右の後脚４は後部連結杆６ｂ（図２）により連結されている。上記後脚４の上端部はシート支持部材７の前部に設けられたボス８に枢着されており、前脚３の上端部はシート支持部材７の後部にそのシート支持部材７に対して前後動可能に設けられたヒンジ結合部９に枢着されている。そして、上記シート支持部材７の外側面には、鎖線で示すように、そのシート支持部材７、並びに上記ボス８及びヒンジ結合部９の上部を覆うカバーが設けられており、上記シート支持部材７上に前記幼児用シート１が前後に揺動可能に載置されている。
【００１２】
上記幼児用シート１は図１及び図２に示すように、幼児が主に臀部を乗せる座部１０と、この座部１０の後方に配置された背部１１と、背部１１の上方に設けられたヘッドレスト１２と、座部１０の前方に設けられたステップ１３により構成されており、上記背部１１は、図１に示すように立ち上げられ椅子として使用可能な状態と、図３に示すように後方に倒されベッドとして使用可能な状態とすることが出来るように、リクライニング機構を有している。そしてベッドとして使用可能な状態に背部１１を倒したときには、上記背部１１の後方への揺動に対応してステップ１３も上方に揺動し、幼児の足が支持されるようにしてある。上記ステップ１３の両側部には側壁１３ａが設けられており、上述のようにベッドとしての使用中における乳幼児の転落が防止されるとともに、もしかしたら落ちるかもしれないという視覚的な不安感がなくなるようにしてある。
【００１３】
図４は前脚３及び後脚４とシート支持部材７との連結部の構成を示す図であり、後脚４の上端部がシート支持部材７のボス８にピン１４により枢着され、前脚３の上端部がヒンジ結合部９にピン１５により枢着されている。上記ヒンジ結合部９にはスライドバー１６が一体的に設けられており、そのスライドバー１６がシート支持部材７内に前後方向にスライド可能に収納されている。すなわち、スライドバー１６には前後方向すなわち長手方向にヒンジ結合部９まで延びる長孔１７が形成されている。この長孔１７に対し、シート支持部材７に所定の間隔をもって突設された２本のピン１８が嵌挿されており、上記長孔１７とピン１８との係合によりスライドバー１６が長手方向に摺動可能としてある。このスライドバー１６は図示しないバネにより図４中左方向、すなわちＸ字脚２が延びて高くなる方向に付勢されている。
【００１４】
スライドバー１６は断面四角形をしており、そのスライドバー１６の上面には長手方向に複数の調節孔１９が列状に配設されている。一方、シート支持部材７には上記調節孔１９のいずれかに選択的に差し込まれるピン２０が上下動可能に設けられている。ピン２０はバネ２１によって差込方向に付勢されており、また、ピン２０の拡径された部分に係止するするレバー２２が設けられている。このレバー２２はシート支持部材７の外側に突出されており、上記ピン２０に沿って上下動可能としてある。
【００１５】
しかして、シート支持部材７の外側からレバー２２を上方に引き上げると、バネ２１の付勢力に抗してピン２０が上方に移動し、調節孔１９から外れる。ピン２０が調節孔１９から外れることによりスライドバー１６は図示しないバネの作用により図中左方向に移動し、これによりＸ字状に交差してヒンジ結合されているＸ字脚２が延び、椅子の高さが高くなる。
【００１６】
一方、この状態でピン２０を調節孔１９から引き抜き、シート支持部材７を押し下げると、スライドバー１６がヒンジ結合部９とともに図２において右方向に移動して前脚３及び後脚４の傾斜角が小さくなり、上記ヒンジ結合部９が最も右に移動し、ピン２０が調節孔１９に係合すると高さが低い折り畳み状態となる。この折り畳み状態を図５に示す。
【００１７】
ところで、全ての前脚３及び後脚４の下端部にはそれぞれ双輪式のキャスター２４が装着されている。しかして、上記キャスター２４により幼児用椅子は前後左右に容易に移動することが出来、旋回性を十分向上させることができ、小回りが利き、狭い室内でも自由に移動させることができる。
【００１８】
図６は、上記幼児用シートの縦断側面図であり、座部１０に対して背部１１が立ち上げられ椅子として使用可能な状態と、図６に示すように後方に倒されベッドとして使用可能な状態とすることが出来るように、軸２５により傾倒可能に装着されている。
【００１９】
上記座部１０には主に幼児の臀部を支持する部分に凹部２６が形成されており、その凹部２６には、多数の空気穴２７が設けられた座面板２８が着脱可能に装着されており、上記凹部２６の底板部２６ａと上記座面板２８とにより２重構造とされている。また、上記凹部２６の前壁部には空気流通口２９が形成され、凹部２６の後部は大気中に解放されている。さらに、上記座面板２８の前壁部及び後壁部にもそれぞれ空気流通口２８ａが形成されている。一方、背部１１の下方部にも、上記背部１１を倒した状態の時に上記座部１０の座面板２８と対応する位置に多数の空気穴３０が形成されている。
【００２０】
しかして、上記シート１に寝ている幼児から出た汗は上記背部１１の空気穴３０及び座部１０の座面板２８の空気穴２７を経て上記凹部２６と座面板２８とにより形成されている２重構造部内に流入し、幼児に密着している座部１０の表面に汗が溜まることがなく、快適性を保つことができる。しかも、上記２重構造部内に流入した汗は、上記２重構造部の前後壁部に形成された空気流通口２９、２８ａ等を経て２重構造部内を流通する外気により発散され、また、必要に応じて座面板２８を外して凹部２６内を掃除することができ、衛生的なものとすることもできる。さらに、特に上記シートが前後に揺動スイング可能とされたものにおいては、上記スイング動作により外気が２重構造部内に積極的に流通され、２重構造部内に溜まった汗等の水分が効果的に発散され、衛生性が向上される。
【図面の簡単な説明】
【００２１】
【図１】本発明の幼児用椅子の斜視図。
【図２】本発明の幼児用椅子の側面図。
【図３】幼児用シートを寝台として使用可能とした状態を示す斜視図。
【図４】前脚及び後脚とシート支持部材との連結部の構成を示す図。
【図５】幼児用椅子をローポジションとした状態を示す側面図。
【図６】本発明における幼児用シートの縦断側面図。
【符号の説明】
【００２２】
１  幼児用シート
２  Ｘ字脚
３  前脚
４  後脚
７  シート支持部材
８  ボス
９  ヒンジ結合部
１０  座部
１１  背部
１３  ステップ
１６  スライドバー
１７  長孔
１９  調節孔
２０  ピン
２２  レバー
２４  キャスター
２５  軸
２６  凹部
２７  空気穴
２８  座面板
２９  空気流通口
３０  空気穴
【図１】
2005279016.tif 000003
【図２】
2005279016.tif 000004
【図３】
2005279016.tif 000005
【図４】
2005279016.tif 000006
【図５】
2005279016.tif 000007
【図６】
2005279016.tif 000008